(57)【要約】【課題】横幅を小さくすることが可能な有機ＥＬパネルを提供する。【解決手段】ドットマトリクス型の有機ＥＬパネル２１は、基板２２に積層体２３を形成したものである。積層体２３は、ストライプ状に形成された第一電極２４ａと、有機層２６と、第二電極２７と、を有する。第一のリブ部２８は、第一電極２４ａに直交する方向に形成され、第二電極２７をストライプ状に分断する。第二のリブ部２９は、第一電極２４ａに平行な方向に形成され、第二電極２７を分断する。端子部２４ｂは、ストライプ状に分断された第二電極２７ａと電気的に接続される。【選択図】図１
2005032637.tif 000002
【特許請求の範囲】
【請求項１】
ストライプ状に形成された第一電極と有機層と第二電極とを有する積層体を基板に形成したドットマトリクス型の有機ＥＬパネルであって、
前記積層体は、更に、前記第一電極に直交する方向に形成され前記第二電極をストライプ状に分断する第一のリブ部と、前記第一電極に平行な方向に形成され前記第二電極を分断する第二のリブ部と、を有することを特徴とする有機ＥＬパネル。
【請求項２】
ストライプ状に分断された前記第二電極と電気的に接続された端子部を設けたことを特徴とする請求項１に記載の有機ＥＬパネル。
【請求項３】
前記端子部と前記第一電極は同じ材料からなることを特徴とする請求項２に記載の有機ＥＬパネル。
【請求項４】
前記第二のリブ部は、前記第一のリブ部の両端に連なるように形成されていることを特徴とする請求項１に記載の有機ＥＬパネル。
【発明の詳細な説明】
【技術分野】
【０００１】
本発明は、第一電極と第二電極の間に少なくとも発光層を有する有機層を挟持した積層体を基板に形成した有機ＥＬパネルに関するものであり、特にマトリクス状に配置された発光部を有する有機ＥＬパネルに関するものである。
【背景技術】
【０００２】
従来より、有機ＥＬパネルが種々提案されており、例えば特許文献１に開示されている。有機ＥＬパネル１は、ガラス基板２上に積層体３を形成したものであり、この積層体３は、透明電極４，絶縁層５，有機層６，背面電極７を有する（図５参照）。有機層６は正孔注入層，正孔輸送層，発光層及び電子輸送層からなるものであり、透明電極４と背面電極７に挟持されている。積層体３は封止ガラス８に覆われており、この封止ガラス８はガラス基板２に接着剤９により接着されている。
【特許文献１】特開２００１−２６７０６６号公報
【０００３】
透明電極４は、陽極部４ａ及び陰極端子部４ｂを有している。背面電極７は陰極端子部４ｂと電気的に接続されており、有機ＥＬパネル１は陽極部４ａと陰極端子部４ｂに電源を接続することにより発光部Ｐが光輝する。
【０００４】
図６及び図７は、発光部をマトリクス状に配置したドットマトリクス型の有機ＥＬパネル１１を示すものである。有機ＥＬパネル１１は、ガラス基板１２上に積層体１３を形成したものである。積層体１３は、透明電極１４，絶縁層１５，リブ部１８，有機層１６，背面電極１７を順次積層形成したものである。
【０００５】
透明電極１４は、ストライプ状に形成された陽極部１４ａと、陰極端子部１４ｂとを有している。絶縁層１５には、発光部に対応する矩形の開口１５ａが形成されている。リブ部１８は、絶縁層１５上に陽極部１４ａと直交する方向の平行線状に形成されている。
【０００６】
第二電極１７は、アルミニウム等の金属からなるものであり、有機層１６よりも広い領域に蒸着等の手段によって形成される。第二電極１７は、リブ部１８によってストライプ状の陰極部１７ａと周辺部１７ｂとに分断されている（図７参照）。周辺部１７ｂは、陰極としての働きはなく、有機ＥＬパネル１１の発光に寄与しない。なお、有機層１６及び背面電極１７は、リブ部１８の上にも積層されるが、図面が煩雑になることを防止するため、図６においてはリブ部１８の上に積層された有機層１６及び背面電極１７は図示しない。
有機ＥＬパネル１１は、マトリクス状に配置された各発光部を夫々オン／オフすることにより所望の文字や図形を表示することができる。
【発明の開示】
【発明が解決しようとする課題】
【０００７】
有機ＥＬパネル１１は、表示装置への組付けの際の省スペース化等を考慮して、横幅Ｗ１が小さいことが望まれているが、リブ部１８の長さＬ１が背面電極１７の横幅Ｗよりも長くなければならないため、有機ＥＬパネル１１の横幅Ｗ１を小さくすることは困難であった。つまり、背面電極１７を複数の陰極部１７ａに分断するために、リブ部１８を背面電極１７よりも横方向に幅Ｄだけ突出させなければならないため、有機ＥＬパネル１１の横幅Ｗ１が大きくなるという問題を有していた。
本発明は、この問題に鑑みなされたものであり、横幅を小さくすることが可能な有機ＥＬパネルを提供するものである。
【課題を解決するための手段】
【０００８】
本発明は、請求項１に記載したように、ストライプ状に形成された第一電極２４ａと有機層２６と第二電極２７とを有する積層体２３を基板２２に形成したドットマトリクス型の有機ＥＬパネル２１であって、前記積層体２３は、更に、前記第一電極２４ａに直交する方向に形成され前記第二電極２７をストライプ状に分断する第一のリブ部２８と、前記第一電極２４ａに平行な方向に形成され前記第二電極２７を分断する第二のリブ部２９と、を有するものである。
【０００９】
また、本発明は、請求項２に記載したように、ストライプ状に分断された前記第二電極２７ａと電気的に接続された端子部２４ｂを設けたものである。
【００１０】
また、本発明は、請求項３に記載したように、前記端子部２４ｂと前記第一電極２４ａは同じ材料からなるものである。
【００１１】
また、本発明は、請求項４に記載したように、前記第二のリブ部２９は、前記第一のリブ部２８の両端に連なるように形成されているものである。
【発明の効果】
【００１２】
リブ部の横方向の長さを第二電極よりも短くすることができ、有機ＥＬパネルの横幅を従来よりも小さくすることが可能になる。
【発明を実施するための最良の形態】
【００１３】
以下、添付の図面に基づいて、本発明の一実施形態について説明する。
【００１４】
有機ＥＬパネル２１は、ガラス基板２２上に積層体２３を形成したものである。積層体２３は、透明電極２４，絶縁層２５，有機層２６，背面電極２７（第二電極），第一のリブ部２８及び第二のリブ部２９を有している。
【００１５】
透明電極２４は、酸化インジウム（In２O３）と酸化スズ（SnO２）の混合物であるＩＴＯ（Indium Tin Oxide）からなるものであり、スパッタリング或いは蒸着等の手段によって形成されている。透明電極２４は、背面電極２７の陰極部２７ａに電気的に導通される陰極端子部２４ｂと、所定間隔をあけて配置された縦方向のストライプ状の陽極部２４ａ（第一電極）とを有している。絶縁層２５は、ポリイミド系の絶縁材料からなるものであり、フォトリソグラフィー法等の手段によって形成されている。絶縁層２５は、有機層２６よりも広い領域に形成されており、マトリクス状に配置された発光部に対応する矩形の開口２５ａと、陰極端子部２４と陰極部２７ａを導通させるコンタクトホール２５ｂとを有している。
【００１６】
有機層２６は、正孔注入層２６ａ，正孔輸送層２６ｂ，発光層２６ｃ及び電子輸送層２６ｄからなるものである（図４参照）。なお、有機層２６は、少なくとも発光層２６ｃがあれば良いが、本実施形態のように正孔注入層２６ａ，正孔輸送層２６ｂ及び電子輸送層２６ｄを設けることにより、発光輝度を向上させることができる。第二電極２７は、アルミニウム（Al）からなるものであり、陰極部２７ａ（ストライプ状に分断された第二電極）と、周辺部２７ｂとを有している。陰極部２７ａは、透明電極２４の陽極部２４ａに直交する方向、即ち横方法のストライプ状になっている。
【００１７】
第一のリブ部２８及び第二のリブ部２９は、フェノール系の絶縁材料からなるものであり、フォトリソグラフィー法等の手段によって形成されている。第一のリブ部２８及び第二のリブ部２９は、絶縁層２５上に形成されており、逆テーパ形状になっている。第一のリブ部２８は、陽極部２４ａと直交する方向に平行線状に設けられており、有機層２６及び第二電極２７をストライプ状に分断する。第二のリブ部２９は、各第一のリブ部２８の両端を結ぶ直線状に、陽極部２４ａに平行な方向に設けられており、第二電極２７を分断する。
【００１８】
本実施形態によれば、第一のリブ部２８の長さＬ２を背面電極２７の横幅Ｗよりも短くすることができ、有機ＥＬパネル１１の横幅Ｗ２を小さくすることができる。
【図面の簡単な説明】
【００１９】
【図１】本発明の実施形態を示す正面図。
【図２】同上実施形態を示す縦断面図。
【図３】同上実施形態を示す横断面図。
【図４】同上実施形態を示す有機層の拡大断面図。
【図５】従来例を示す断面図。
【図６】他の従来例を示す正面図。
【図７】同上他の従来例を示す縦断面図。
【符号の説明】
【００２０】
２１    有機ＥＬパネル
２２    基板
２３    積層体
２４    透明電極
２４ａ  陽極部（第一電極）
２４ｂ  陰極端子部（端子部）
２６    有機層
２７    背面電極（第二電極）
２７ａ  陰極部
２８    第一のリブ部
２９    第二のリブ部
【図１】
2005032637.tif 000003
【図２】
2005032637.tif 000004
【図３】
2005032637.tif 000005
【図４】
2005032637.tif 000006
【図５】
2005032637.tif 000007
【図６】
2005032637.tif 000008
【図７】
2005032637.tif 000009